(57)【要約】【課題】構造が簡単で、連設も容易であり、しかもデザインもシャープで斬新な上吊り式庇。【解決手段】枠体２と屋根パネル３とで構成された屋根体Ｒの基部を建物の躯体Ｗに固定し、該屋根体Ｒの先端側を吊材５によって上吊り支持してなる上吊り式庇１において、枠体２は左右の縦枠材６と、該縦枠材６の基部で連結される基枠材７とからなり、左右縦枠材６を中空に形成し、この中空部８の上部に吊材固着部１０を形成するとともに、中空部８の両側に屋根パネル取付部１５を形成し、左右縦枠材６の対向する屋根パネル取付部１５に屋根パネル３を取りつけ、該屋根パネル３の先端を露出させた。【選択図】図３
2008280761.tif 000002
【特許請求の範囲】
【請求項１】
枠材と屋根パネルとで構成された屋根体の基部を建物の躯体に固定し、該屋根体の先端側を吊材によって上吊り支持してなる上吊り式庇において、
枠材は左右の縦枠材と、該縦枠材の基部で連結される基枠材とからなり、
左右縦枠材を中空に形成し、この中空部の上部に吊材固着部を形成するとともに、中空部の両側に屋根パネル取付部を形成し、
左右縦枠材の対向する屋根パネル取付部に屋根パネルを取りつけ、該屋根パネルの先端を露出させた
ことを特徴とする上吊り式庇。
【請求項２】
上記左右縦枠材の先端小口に、上記吊材固着部、左右の屋根パネル取付部及び中空部の先端部を覆い隠す塞ぎ材を取りつけたことを特徴とする、請求項１に記載の上吊り式庇。
【請求項３】
上記縦枠材の両側の屋根パネル取付部のうち、庇の端部に対応する屋根パネル取付部には化粧カバーを取り付けたことを特徴とする、請求項１又は２に記載の上吊り式庇。
【請求項４】
上記左右縦枠材の中空部間に補強材を取り付けたことを特徴とする、請求項１〜３のいずれかに記載の上吊り式庇。
【請求項５】
上記左右縦枠材の中空部に上記補強材の端部を呑み込ませたことを特徴とする、請求項１〜４のいずれかに記載の上吊り式庇。
【請求項６】
上記屋根パネルを合成樹脂製とし、該屋根パネルと上記補強材との間に支持ブロックを設けたことを特徴とする、請求項１〜５のいずれかに記載の上吊り式庇。
【発明の詳細な説明】
【技術分野】
【０００１】
本発明は、建物の壁躯体などの壁面に吊材を介して取りつけられる上吊り式庇に関する。
【背景技術】
【０００２】
この種の庇には、屋根体の基部を建物の躯体に固定し、吊材によって上吊りして支持する構造のものが知られている（特許文献１、２参照）。
【０００３】
これにより、屋根体の下部には屋根を支持する支持材がないため、屋根体の下方のスペースが広く確保され、歩行などの障害にならないとともに、支持材が露出することがないので、意匠性も高い。
【特許文献１】特開２００６−３４８６７２
【特許文献２】特開２００５−３１４９２４
【発明の開示】
【発明が解決しようとする課題】
【０００４】
しかしながら、特許文献１に示される上吊り式庇は、屋根パネルの全周を枠で包囲する構成であるから全体が重く、デザインとしても重量感が勝りすぎて一般住宅にはあまり相応しくない。また、このような上吊り式庇は単体で使用する場合はむしろ少ない。通常は、複数の庇を横に並べて連設する場合の方が多い。
【０００５】
上記特許文献２はこれに対応するものであるが、これは、各屋根パネルを支持する縦枠材の側面から軸を突設し、この軸に吊材の先端を取りつけた構成であるから、２つの上吊り式庇を連設する場合は、１本の吊材を挟んで両側に２つの庇を配置することになり、隣り合う庇間には隙間ができることになる。隙間を埋めるために専用の部材を別途製作しなければならず、施工手間もかかるので、コストがアップする。また、連設を前提としているので、端部の吊材の軸は外方に突出せざるを得ない。したがって、全体として外観体裁がよくない。
【０００６】
本発明は上記問題点を解消し、構造が簡単で、連設も容易であり、しかもデザインもシャープで斬新な上吊り式庇を提供することをその課題とする。
【課題を解決するための手段】
【０００７】
上記課題を解決するため、請求項１に係る発明は、枠材と屋根パネルとで構成された屋根体の基部を建物の躯体に固定し、該屋根体の先端側を吊材によって上吊り支持してなる上吊り式庇において、枠材は左右の縦枠材と、該縦枠材の基部で連結される基枠材とからなり、左右縦枠材を中空に形成し、この中空部の上部に吊材固着部を形成するとともに、中空部の両側に屋根パネル取付部を形成し、左右縦枠材の対向する屋根パネル取付部に屋根パネルを取りつけ、該屋根パネルの先端を露出させたことを特徴とする。
【０００８】
請求項２に係る発明は、請求項１において、上記左右縦枠材の先端小口に、上記吊材固着部、左右の屋根パネル取付部及び中空部の先端部を覆い隠す塞ぎ材を取りつけたことを特徴とする。
【０００９】
請求項３に係る発明は、請求項１又は請求項２において、上記縦枠材の両側の屋根パネル取付部のうち、庇の端部に対応する屋根パネル取付部には化粧カバーを取り付けたことを特徴とする。
【００１０】
請求項４に係る発明は、請求項１〜３のいずれかにおいて、上記左右縦枠材の中空部間に補強材を取り付けたことを特徴とする。
【００１１】
請求項５に係る発明は、請求項１〜請求項４のいずれかにおいて、上記左右縦枠材の中空部に上記補強材の端部を呑み込ませたことを特徴とする。
【００１２】
請求項６に係る発明は、請求項１〜請求項５のいずれかにおいて、上記屋根パネルを合成樹脂製とし、該屋根パネルと上記補強材との間に支持ブロックを設けたことを特徴とする。
【発明の効果】
【００１３】
請求項１に係る発明によれば、左右縦枠材の中空部の上部に吊材固着部を形成するとともに、中空部の両側に屋根パネル取付部を形成したので、１本の吊材によって支持された縦枠材の両側にパネルを取り付けて連設することができる。したがって、構造が簡単であり、コストも低く抑えることができるとともに、庇の連設も容易である。
【００１４】
また、屋根パネルの枠材は基部の基枠材と左右の縦枠材とによって構成され、屋根パネルの先端には枠を設けずに、直接に外部にを露出させた構成であるから、屋根のデザインがシャープで斬新である。
【００１５】
請求項２に係る発明によれば、左右縦枠材の先端小口に、上記吊材固着部、左右の屋根パネル取付部及び中空部の先端部を、１ピースの塞ぎ材のみによって覆い隠す構成であるから、小口の処理が簡単であるとともに、シンプルな体裁となる。
【００１６】
請求項３に係る発明によれば、上記縦枠材の両側の屋根パネル取付部のうち、庇の端部に対応する屋根パネル取付部には化粧カバーを取り付けた構成であるから、パネル取付部の露出を防ぎ、自然な体裁にすることができる。
【００１７】
請求項４に係る発明によれば、左右縦枠材の中空部間に補強材を取り付けたから、基枠材と左右の縦枠材とによる枠強度が補強され、屋根パネルの取付強度が十分に確保される。
【００１８】
請求項５に係る発明によれば、左右縦枠材の中空部に補強材の端部を呑み込ませた構成であるから、縦枠材を挟んでその両側に配置される補強材を連続状に見せることができる。
【００１９】
請求項６に係る発明によれば、屋根パネルを合成樹脂製とし、該屋根パネルと上記補強材との間に支持ブロックを設けたから、該支持ブロックにより樹脂製パネルの下面を支持することができ、その撓みを良好に防止することができる。
【発明を実施するための最良の形態】
【００２０】
図１及び図２において符号１は上吊り式庇を示すもので、この庇１は、アルミニウム等から複数の金属製枠体２と透明な（半透明又は不透明でもよい）屋根パネル３とで構成された屋根体Ｒの基部を建物の壁躯体Ｗに固定し、該屋根体Ｒの先端側を吊材５によって上吊り支持したもので、上記枠体２は左右の縦枠材６と、該縦枠材６の基部で連結される基枠材７とから平面視コ字形に構成されている。また、庇１の最小単位は屋根体Ｒを２本の吊材５で支持したものであるが、図１のように複数の屋根体Ｒを連続させる場合、基枠材７と隣接する縦枠材６を共通にすればよい。
【００２１】
図２〜図４に示されるように、左右の縦枠材６は中空に形成され、この中空部８の上面に吊材固着部１０が形成されている。吊材固着部１０は上向きの溝状に形成され、吊材固着部１０を構成する断面が略Ｌ字形のＬ形縁１１は中空部８の両外側に突出している。また、上記両Ｌ形縁１１の上端の下面には係止溝１２が形成されている。なお、吊材固着部１０の先端部近傍には止め金具１３が嵌め合い状に配置され、ボルトによって固定されている。止め金具１３の中央上部には丸形三角形状の支持片１４が上方に突出形成されている。
【００２２】
また、中空部８の両側上部には屋根パネル取付部１５が設けられている。屋根パネル取付部１５は、上記吊材固着部１０の両側Ｌ形縁１１とその各下方に形成された張出し縁１６との間に形成されている。Ｌ形縁１１よりも張出し縁１６の方が大きく張出している。また、張出し縁１６の基部には係合突部１７が形成されているとともに、先端にはタイト材１８の嵌合溝２０が形成されている。また、Ｌ形縁１１の係止溝１２には屋根パネル３を上から押える押し縁２１の係止突部２２が係止可能であり、また張出し縁１６の係合突部１７には押し縁２１の先端部が係合可能に形成されている。
【００２３】
屋根パネル３はガラスでもポリカーボネイトのような合成樹脂材でもよいが、コストや安全性の上から合成樹脂によって構成するのが好ましい。
【００２４】
基枠材７は角筒状に形成され、建物の壁躯体Ｗに対面する部位は壁躯体Ｗにボルトで固定されている。そして、その反対側の上部には開口部２３が形成されている。開口部２３を挟んで上部と下部には屋根パネル３と縦枠材６の取付縁２４、２５が形成されている。上部取付縁２４は略水平に形成されているが、下部取付縁２５はやや傾斜している。上記開口部２３は屋根パネル３の厚みよりも大きく開口するように形成されている。
【００２５】
上記基枠材７の開口部２３の両端には、縦枠材６の基部（張出し縁１６よりも上部）が呑み込まれ、屋根パネル３とともに連結固定されている。なお、基枠材７の両端小口にはキャップが被せられている。
【００２６】
次に、上記屋根パネル３の両側部は対向する縦枠材６の屋根パネル取付部１５の張出し縁１６上に支持され、屋根パネル３の上面は押し縁２１によって押えられている。また、屋根パネル３の基部は、基枠材７の開口部２３の下部取付縁２５上に支持され、さらに短尺のＺ字形の取付金具２６を介して上部取付縁２４に固定されている。これにより、屋根パネル３の両側は縦枠材６に、基部は基枠材７にそれぞれ支持固定されているが、これに対し屋根パネル３の先端は露出している。
【００２７】
上記縦枠材６の両側の屋根パネル取付部１５のうち、図６に示す庇１の端部に対応する屋根パネル取付部１５には化粧カバー２７が取り付けられている。化粧カバー２７は上記押し縁２１と略同じ形状に形成され、Ｌ形縁１１の係止溝１２に係止可能な係止突部２２と、張り出し縁の係合突部１７と係合可能な先端部と、張出し部１６のタイト材嵌合溝２０に係止可能な鈎状の係止部２８が形成されている。上記化粧カバー２７が縦枠材６の両外側部の全長に沿って配置されることにより、屋根体Ｒの両側がシンプルですっきりとした外観となる。なお、図４に示されるように、縦枠材６の吊材固着部１０、左右の屋根パネル取付部１５を除く先端小口は斜めに切断されている。
【００２８】
次に、吊材５はアルミニウムの押出形材等からなる金属製の棒材で、図２、図３に示すように、両端には凹溝３２を有する金具３０、３１が固定されている。そして、上部金具３０の凹溝３２には建物の壁躯体Ｗに固定された止め金具１３に突出形成された支持片１４が嵌合され、凹溝３２と支持片１４とを貫通したボルト３３で固定されている。また、下部金具３１の凹溝３２には縦枠材６の吊材固着部１０の支持片１４が嵌合され、凹溝３２と支持片１４とを貫通したボルト３３で固定されている。
【００２９】
さらに、図２および図４に示されるように、上記左右縦枠材６の先端小口には塞ぎ材３４が取り付けられている。この塞ぎ材３４は縦枠材６の吊材固着部１０と左右の屋根パネル取付部１５と中空部８の先端部とを覆い隠すもので、上端の背面側には取付片３９ａが形成され、中央の背面側には嵌合片３９ｂが形成されている。取付片３９ａは吊材固着部１０上に配置され、ビスで固着部１０に固定され、また嵌合片３９ｂは中空部８内に嵌合固定されている。
【００３０】
次に、左右縦枠材６の基部側と先端部側の中空部８間には補強材３５が取り付けられている。補強材３５は図７に示すように、アルミニウムの押出形材から中空のパイプ状に形成されている。補強材３５の上部には上向きに開口する開口溝３６が形成されている。開口溝３６の両側の溝壁の中間部には突壁３７が形成されている。したがって、開口溝３６は中間が突壁３７によって絞られた形状となっている。
【００３１】
上記補強材３５は屋根パネル３の両側の縦枠材６の間に配置され、図８に示されるように、連結具３８を介して両側の縦枠材６に固定されている。連結具３８は中央の芯部３８ａとその上部両側の連結片３８ｂとにより正面視略Ｔ字形に形成したもので、芯部３８ａは縦枠材６の中空部８の幅よりもやや小さくなるように形成され、先端は直角に屈曲している。また、連結片３８ｂは補強材３５の開口溝３６の下部溝３６ｂに嵌合可能に形成されている。
【００３２】
上記両縦枠材６間に補強材３５を取り付けるときは、図３、図７に示すように、まず各縦枠材６の中空部８の両側部には補強材取付部に補強材３５を嵌合可能な切欠き部４０を形成しておく。そして、両縦枠材６間に補強材３５を配置し、補強材３５の両端部を縦枠材６の切欠き部４０から縦枠材６の中空部８内に呑み込ませる。また、連結具３８の芯部３８ａを上記切欠き部の補強材３５と反対側から内部に押し込み、連結片３８ｂを補強材３５の開口溝３６の下部溝３６ｂに嵌合させる。そして、連結片３８ｂをビスで補強材３５に止着固定する。また、連結具３８の芯部３８ａの先端屈曲部４１は図３に示すように、縦枠材６の底部から貫通させたビス４２によって縦枠材６に固定されている。底部にはキャップ４３を取り付けておく。
【００３３】
なお、庇１の端部の縦枠材６では、図６のように連結具３８の他方の連結片３８ｂは中空部８の外に突出する。この連結片３８ｂには上記補強材３５と同じ大きさ同じ断面形状で、短尺の化粧材３５Ａを補強材３５と同じ要領でビス固定する。化粧材３５Ａの端部にはキャップ４４を取りつける。
【００３４】
また、補強材３５と屋根パネル３との間には支持ブロック４５が配設されている。支持ブロック４５は合成樹脂製の円筒状部材で、下部に小径部４６が形成され、小径部４６は図４に示すように補強材３５の開口溝３６の突壁３７間に配置され、小径部の下部は開口溝３６の下部溝３６ｂに嵌まり合うことにより開口溝３６に取りつけられ、上端部は屋根パネル３の下面に当接して屋根パネル３を支持している。
【００３５】
左右の縦枠材６間に補強材３５を取りつけることにより、屋根パネル３の枠体強度は格段に大きくなる。また、支持ブロック４５を取り付けることにより、屋根パネル３と補強材３５との間の間隔が保持され、合成樹脂製パネルの撓みを防止することができる。
【００３６】
次に、一つの屋根体Ｒに他の屋根体を連設するときは、連設されるべき側の縦枠材６の屋根パネル取付部１５と連結具３８の連結片３８ｂには、図６に示す化粧カバー２７と化粧材３５Ａに代え、上述のように屋根パネル３と押し縁２１と補強材３５を取りつければよい。つまり、連設されるべき屋根パネル３の一方の縦枠材６を共通の縦枠材６として用い、新しい屋根パネル３を共通の縦枠材６ともう一方の新しい縦枠材６と新しい基枠材７とによって枠組みし、新しい基枠材７を上述と同じ要領で壁躯体Ｗに固定し、新しい縦枠材６を上述と同じ要領で吊材５で吊ればよい。同様にしてさらに新しい屋根パネル３を連設すればよい。そして、端部の屋根パネル３の縦枠材６には、上述と同じようにして化粧カバー２７と化粧材３５Ａを取りつければよい。
【００３７】
また、図１のように、屋根体Ｒの壁躯体Ｗからの張出し量を一部変えるときは、縦枠材６と屋根パネル３の寸法を変えればよい。なお、隣接する屋根体Ｒよりも出幅が大きくなって突出している部分には化粧カバー２７を取り付ける。
【００３８】
次に、コーナー部では、上記縦枠材６と同じ大きさで同じ断面形状を有するとともに、長さがより長い斜め縦枠材６ａが配設され、この斜め縦枠材６の基部側と先端側に対してその両側から約４５度の角度で補強材３５が連結され、また斜め縦枠材６ａの中間部分には、上記縦枠材６と同じ大きさで同じ断面形状を有するとともに、長さがより短いコーナー縦枠材６ｂが連結されている。
【００３９】
斜め縦枠材６ａに対してその両側から約４５度の角度で補強材３５を連結するときは、図９及び図１０に示されるように、上述の連結具３８とほぼ同様の構造で、芯部３８ａの両側の連結片３８ｂが９０度の角度でＶ字形に形成されている連結具３８Ａを用いる。そして、芯部３８ａは斜め縦枠材６に対して上記縦枠材６と同様にして固定し、連結片３８ｂも上述の例と同様にして上記補強材３５に固定すればよい。なお、補強材３５の端部は斜めに切断し、斜め縦枠材６ａの中空部８の側壁に形成した切欠き部４０から中空部８内に呑み込ませる。
【００４０】
また、斜め縦枠材６ａに対してその両側から約４５度の角度でコーナー縦枠材６ｂを連結するときは、図１１に示されるように、中央の基片４６ａの両側から斜め４５度に連結片４６ｂを形成した連結具４６を用いて連結すればよい。中央の基片４６ａは斜め縦枠材６の中空部８の底部にビス止め固定し、そこから斜めに突出した連結片４６ｂをコーナー縦枠材６ｂの中空部８の底部にビス止め固定すればよい。
【００４１】
さらに、補強材３５はコーナー縦枠材６ｂに対しては切欠き部４０を貫通させればよい。
【００４２】
なお、斜め縦枠材６とコーナー縦枠材６ｂの先端小口にも塞ぎ材３４が取り付けられている。
【００４３】
以上のように、屋根パネル３は縦枠材６と基枠材７上に載置して下部から支持した後、押し縁２１で上部を固定するので、屋根パネル３の取りつけ作業が楽である。
【００４４】
また、ベース枠と吊材５とによって屋根体Ｒは壁躯体Ｗの表面から突出するが、屋根体Ｒは先端が基部よりも高くなるように配設されている。このように、屋根体Ｒの先端が上向きに傾斜するように配され、また上記先端は屋根パネル３の先端小口が直接に外部に露出する構成であるから、全体が軽快でシャープな外観となる。
【図面の簡単な説明】
【００４５】
【図１】本発明に係る庇の平面図
【図２】上記庇の一部を断面で示した側面図
【図３】図１のＡ−Ａ線上の拡大断面図
【図４】図２のＰ部の拡大図
【図５】図２のＱ部の拡大図
【図６】図１のＢ−Ｂ線上の拡大断面図
【図７】図３のＣ−Ｃ線上の拡大断面図
【図８】連結具の斜視図
【図９】コーナー部の斜め縦枠材部分の横断面図
【図１０】斜め縦枠材と補強材との連結態様説明図
【図１１】斜め縦枠材とコーナー縦枠材との連結態様説明図
【符号の説明】
【００４６】
Ｒ  屋根体
１    庇  
２    枠体
３    屋根パネル
５    躯体
７    基枠材
１０  吊材固着部
１５  屋根パネル取付部
３４  塞ぎ材
３５  補強材
【図１】
2008280761.tif 000003
【図２】
2008280761.tif 000004
【図３】
2008280761.tif 000005
【図４】
2008280761.tif 000006
【図５】
2008280761.tif 000007
【図６】
2008280761.tif 000008
【図７】
2008280761.tif 000009
【図８】
2008280761.tif 000010
【図９】
2008280761.tif 000011
【図１０】
2008280761.tif 000012
【図１１】
2008280761.tif 000013